(57)【要約】【課題】組立精度の低下を防止できる光学系保持装置及び光学機器を提供する。【解決手段】光学系（Ｌ）を保持する側面に備えられた第１の係合部（４２）と、前記側面と交差する端面に備えられた第１の当接面（４１）とを有する保持枠（４０）と、前記保持枠の前記第１の当接面に対向し前記第１の当接面の押圧を受ける第２の当接面（５８）と、前記第２の当接面よりも前記保持枠側に備えられ前記第１の係合部に係合する第２の係合部（５４）とを有する鏡筒（５０）とを含むことを特徴とする光学系保持装置（３０）。【選択図】図２
2008134289.tif 000002
【特許請求の範囲】
【請求項１】
光学系を保持する側面に備えられた第１の係合部と、前記側面と交差する端面に備えられた第１の当接面とを有する保持枠と、
前記保持枠の前記第１の当接面に対向し前記第１の当接面の押圧を受ける第２の当接面と、前記第２の当接面よりも前記保持枠側に備えられ前記第１の係合部に係合する第２の係合部とを有する鏡筒と
を含むことを特徴とする光学系保持装置。
【請求項２】
請求項１に記載された光学系保持装置であって、
前記鏡筒は、前記保持枠に対向する側とは反対側に、切欠きが備えられていること
を特徴とする光学系保持装置。
【請求項３】
請求項２に記載された光学系保持装置であって、
前記第２の当接面は、前記第２の係合部と前記切欠きとの間に備えられていること
を特徴とする光学系保持装置。
【請求項４】
請求項１から請求項３までの何れか１項に記載された光学系保持装置であって、
前記第２の係合部は、前記第１の係合部よりも外側に備えられていること
を特徴とする光学系保持装置。
【請求項５】
請求項１から請求項４までの何れか１項に記載された光学系保持装置であって、
前記第１の当接面と前記第２の当接面との間に備えられたスペーサを含むこと
を特徴とする光学系保持装置。
【請求項６】
光学系を保持する側面に備えられた第１の係合部と、前記側面と交差する端面に備えられた第１の当接面とを有する保持枠と、
前記保持枠の前記第１の当接面に対向し前記第１の当接面の押圧を受ける第２の当接面と、前記第１の係合部に係合する第２の係合部と、前記保持枠に対向する側とは反対側に備えられた切欠きとを有する鏡筒と
を含み、
前記第１の当接面又は前記第２の当接面の少なくとも一方には、凹溝が形成されていること
を特徴とする光学系保持装置。
【請求項７】
請求項１から請求項６までの何れか１項に記載された光学系保持装置を備えたこと
を特徴とする光学機器。
【発明の詳細な説明】
【技術分野】
【０００１】
本発明は、光学系保持装置及び光学機器に関するものである。
【背景技術】
【０００２】
カメラ等の光学機器に備えられたレンズ鏡筒は、レンズ群を保持する鏡枠がカムフォロワ等を備えた鏡筒に装着されるものが知られている（例えば、特許文献１参照）。
【特許文献１】特開２００５−１７３４６６号公報
【発明の開示】
【発明が解決しようとする課題】
【０００３】
しかし、鏡筒が鏡枠よりも剛性が低い場合、鏡枠を鏡筒に装着する際に鏡枠が鏡筒を押圧し、これによって鏡筒が変形してレンズ鏡筒の組立精度が低下する問題があった。
本発明の課題は、組立精度の低下を防止できる光学系保持装置及び光学機器を提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、光学系（Ｌ）を保持する側面に備えられた第１の係合部（４２）と、前記側面と交差する端面に備えられた第１の当接面（４１）とを有する保持枠（４０）と、前記保持枠の前記第１の当接面に対向し前記第１の当接面の押圧を受ける第２の当接面（５８）と、前記第２の当接面よりも前記保持枠側に備えられ前記第１の係合部に係合する第２の係合部（５４）とを有する鏡筒（５０）とを含むことを特徴とする光学系保持装置（３０）である。
【０００５】
請求項２の発明は、請求項１に記載された光学系保持装置であって、前記鏡筒（５０）は、前記保持枠に対向する側とは反対側に、切欠き（５７）が備えられていることを特徴とする光学系保持装置（３０）である。
請求項３の発明は、請求項２に記載された光学系保持装置であって、前記第２の当接面（５８）は、前記第２の係合部（５４）と前記切欠き（５７）との間に備えられていることを特徴とする光学系保持装置（３０）である。
請求項４の発明は、請求項１から請求項３までの何れか１項に記載された光学系保持装置であって、前記第２の係合部（５４）は、前記第１の係合部（４２）よりも外側に備えられていることを特徴とする光学系保持装置（３０）である。
請求項５の発明は、請求項１から請求項４までの何れか１項に記載された光学系保持装置であって、前記第１の当接面（４１）と前記第２の当接面（５８）との間に備えられたスペーサ（６０）を含むことを特徴とする光学系保持装置（３０）である。
【０００６】
請求項６の発明は、光学系（Ｌ）を保持する側面に備えられた第１の係合部（２４２）と、前記側面と交差する端面に備えられた第１の当接面（２４１）とを有する保持枠（２４０）と、前記保持枠の前記第１の当接面に対向し前記第１の当接面の押圧を受ける第２の当接面（２５８）と、前記第１の係合部に係合する第２の係合部（２５４）と、前記保持枠に対向する側とは反対側に備えられた切欠き（２５７）とを有する鏡筒（２５０）とを含み、前記第１の当接面又は前記第２の当接面の少なくとも一方には、凹溝（２５９）が形成されていることを特徴とする光学系保持装置（２３０）である。
請求項７の発明は、請求項１から請求項６までの何れか１項に記載された光学系保持装置（３０、２３０）を備えたことを特徴とする光学機器（２、５）である。
なお、符号を付して説明した構成は、適宜改良してもよく、また、少なくとも一部を他の構成物に代替してもよい。
【発明の効果】
【０００７】
本発明によれば、組立精度の低下を防止できる光学系保持装置及び光学機器を提供できる。
【発明を実施するための最良の形態】
【０００８】
［第１実施形態］
以下、図面等を参照して、本発明の実施形態をあげて、さらに詳しく説明する。なお、以下の実施形態は、光学系保持装置を含む光学機器としてレンズ鏡筒を例にとって説明する。
図１は、第１実施形態のレンズ鏡筒を含むカメラシステムを示す斜視図であり、レンズ鏡筒に含まれる移動筒を分解図によって示している。
図２は、図１に示す移動筒の光軸を含む断面図である。
カメラシステム１は、例えば、レンズ鏡筒２がカメラ本体３に着脱可能に装着されるレンズ交換式の一眼レフカメラシステムである。
【０００９】
レンズ鏡筒２は、固定筒１０、カム筒２０、移動筒３０を備えている。
図１に示すように、固定筒１０は、レンズ鏡筒２の外観面を形成する筒体であり、レンズ鏡筒２がカメラ本体３に装着された状態において、カメラ本体３に対する移動が制限されている。
カム筒２０は、固定筒１０の内径側に挿入された筒体であり、光軸回りに回転可能に設けられている。このカム筒２０は、その外周面に図示しないカム溝が形成されている。
【００１０】
移動筒３０は、上記カム筒２０の回転に応じて固定筒１０に対して光軸方向に移動するようになっており、鏡枠４０、鏡筒５０、スペーサ６０を備えている。
鏡枠４０は、例えば、金属材料によって形成された円環状の枠体であり、その内径側にレンズ群Ｌが装着されている（レンズ群Ｌは、図２参照）。
鏡枠４０は、図２に示すように光軸方向物体側の領域が光軸方向像側の領域よりも外径寸法が大きく設定されており、その外径側であって光軸方向の中間部分に光軸Ａに略垂直な段差面が形成されている。鏡枠４０は、光軸方向像側の端部も、光軸Ａに略垂直な面となっている。以下、この面を端面４１と称して説明する（端面４１は、図２参照）。
また、鏡枠４０は、上記段差面よりも光軸方向像側の領域における外周面にネジ山が形成されている。以下、このネジ山が形成された部分を雄ネジ部４２と称して説明する。鏡枠４０において、雄ネジ部４２は、図２に示すようにレンズ群Ｌよりも鏡筒５０側に設けられている。前述の端面４１は、図２に示すように雄ネジ部４２よりも鏡筒５０側に設けられている。
【００１１】
図示実施例において、鏡筒５０は、鏡枠４０をカム筒２０に対して支持する部材であり、鏡枠４０に対して光軸方向像側（カメラ本体３側）に配置され、その一部が固定筒１０とカム筒２０との間に挿入されている。なお、鏡筒５０は、鏡枠４０に対して光軸方向物体側（カメラ本体３とは反対側）に配置されていてもよい。
鏡筒５０は、例えば、合成樹脂材料によって形成され、その剛性が鏡枠４０よりも低く設定されている。ここで、本明細書において、剛性とは、外部からの力に対する変形のしにくさを示すものである。
鏡筒５０は、装着部５１、脚部５２、フランジ部５３を備えている。
装着部５１は、円環状に形成された部分であり、その内周面にネジ山が形成されている。以下、このネジ山が形成された部分を雌ネジ部５４と称して説明する。前述の鏡枠４０は、その外周面に形成された雄ネジ部４２とこの雌ネジ部５４とがネジ結合することによって装着部５１の内径側に装着されている。
【００１２】
脚部５２は、装着部５１の光軸方向像側の端部から鏡枠４０とは反対側、すなわち、カメラ本体３側に向けて光軸Ａに対し略平行に延出して設けられた部分である。この脚部５２は、鏡筒５０の外周面の一部（本実施形態においては３箇所）が切り欠かれたように形成されたものである。脚部５２は、装着部５１の周方向に略均等な間隔で、例えば、３本形成されている。
【００１３】
図１に示すように、脚部５２の先端部には、それぞれ貫通孔５５が形成されており、カム筒２０に形成されたカム溝に挿入されるカムフォロワ５６が図示しないビスによって固定されている。
鏡筒５０は、隣接する脚部５２間に空間部５７が設けられており、レンズ鏡筒２は、この脚部５２間の空間部５７に、例えば、図示しないアクチュエータ等が配置されている。
【００１４】
フランジ部５３は、図２に示すように装着部５１と脚部５２との境界部の近傍から装着部５１の内径側につば状に突き出して形成された部分である。フランジ部５３における光軸方向物体側を向いた面は、光軸Ａに略垂直となっている。以下、この面をフランジ面５８と称して説明する（フランジ面５８は、図２参照）。
【００１５】
スペーサ６０は、カメラ本体３に備えられた不図示の撮像部に対するレンズ群Ｌの光軸上の位置を調整するものであり、例えば、金属材料によって円環状に形成されている。スペーサ６０は、図２に示すように、上述した鏡枠４０の端面４１とフランジ部５３のフランジ面５８とに挟まれて配置されている。
【００１６】
次に、第１実施形態の効果を比較形態と対比して説明する。
図３は、比較形態のレンズ鏡筒に備えられた移動筒の光軸を含む断面における断面図である。なお、以下説明する比較形態、第２実施形態及び変形形態において、第１実施形態と同様な機能を果たす部分には、同一の符号又は末尾に統一した符号を付して、重複する説明や図面を適宜省略する。
図３に示すように、比較形態の移動筒１３０は、実施形態の移動筒３０に対してスペーサ１６０の配置が異なっている。具体的に説明すると、スペーサ１６０は、鏡枠１４０の光軸方向中間部分に形成された段差面１４１と、鏡筒１５０の装着部１５１における光軸方向像側の端面１５８とに挟まれて配置されている。また、鏡枠１４０とフランジ部１５３とは、当接しておらず、これらの間には、隙間が設けられている。
【００１７】
比較形態の移動筒１３０は、鏡枠１４０を鏡筒１５０に装着する際、例えば、鏡筒１５０を固定した状態で鏡枠１４０を光軸回りに回転させて、鏡枠１４０を鏡筒１５０の装着部１５１に対してねじ込む。
このとき、鏡筒１５０の雌ネジ部１５４におけるネジ山の傾斜面は、鏡枠１４０の雄ネジ部１４２におけるネジ山の傾斜面に押圧される。鏡筒１５０の装着部１５１は、この押圧力のうち、移動筒１３０の径方向（以下、単に径方向と称する）外側に作用する分力（図３の矢印Ｆ１参照）によって、径方向外側に倒れよう（広がろう）とする。
【００１８】
そして、装着部１５１を径方向外側に倒れさせる力によって、鏡筒１５０には、フランジ部１５３の基端部近傍（装着部１５１と脚部１５２との境界部近傍）を中心とする回転モーメント（図３の矢印Ｍ参照）が発生する。この回転モーメントは、脚部１５２に対し鏡筒１３０の径方向内側に倒れさせる力（図３の矢印Ｆ２参照）として作用する。
脚部１５２が鏡筒１３０の径方向内側に倒れると、移動筒１３０の組立精度が低下し、カムフォロワ（図示省略）とカム溝との摺動不良等の原因となる。また、脚部１５２が倒れることによって、カムフォロワとレンズ群Ｌとの距離が当初の設計からずれる可能性がある。さらに、脚部１５２と移動筒１３０の内径側に配置された部材とが干渉する可能性もある。
【００１９】
これに対し、図２に示すように、第１実施形態の移動筒３０は、鏡枠４０を鏡筒５０に対してねじ込むと、鏡枠４０の端面４１がスペーサ６０を介してフランジ面５８を光軸方向像側に押圧する（図２の矢印Ｆ１参照）。
フランジ部５３が光軸方向像側に押圧されると、鏡筒５０には、フランジ部５３の基端部近傍（装着部５１と脚部５２との境界部近傍）を中心とする回転モーメント（図２の矢印Ｍ参照）が発生する。この回転モーメントは、脚部５２に対し鏡筒３０の径方向外側に倒れさせる力（図２の矢印Ｆ２参照）として作用する。そして、この回転モーメントは、装着部５１に対しては、径方向内側に倒れさせる力（図２の矢印Ｆ３参照）として作用する。
【００２０】
ここで、第１実施形態の移動筒３０は、装着部５１の内径側に鏡枠４０が装着されている。この鏡枠４０は、鏡筒５０よりも剛性が高いので、装着部５１が径方向内側に倒れることによって装着部５１に押圧されても実質的に変形しない。これによって、装着部５１は、鏡枠４０によって径方向内側への倒れが防止される。
また、装着部５１の倒れが防止されることによって、上記回転モーメントによる脚部５２の倒れも防止されるので、脚部５２の径方向外側への変形が防止され、移動筒３０の組立精度の低下を防止できる。したがって、脚部５２に設けられたカムフォロワ５６とレンズ群Ｌとの光軸方向における位置関係が安定する。また、脚部５２と、移動筒の外径側に配置された部材との摺動不良、カムフォロワ５６とカム溝との摺動不良が防止される。
【００２１】
［第２実施形態］
次に本発明の第２実施形態について説明する。
図４は、第２実施形態のレンズ鏡筒を含むカメラシステムを示す斜視図である。なお、この図４は、レンズ鏡筒に含まれる移動筒を分解斜視図によって示している。
図５は、図４に示す移動筒の光軸を含む断面図である。
第２実施形態のカメラシステム４もレンズ鏡筒５がカメラ本体６に着脱可能に装着されるものであり、レンズ鏡筒５は、固定筒２１０、カム筒２２０、移動筒２３０を備えている。固定筒２１０、カム筒２２０は、第１実施形態の固定筒１０、カム筒２０とそれぞれ実質的に同じものなので、説明を省略する。
【００２２】
第１実施形態の移動筒３０は、スペーサ６０が鏡枠４０とフランジ部５３との間に配置されていたのに対し、第２実施形態の移動筒２３０は、図５に示すように、スペーサ２６０が鏡枠２４０の光軸方向中間部に形成された段差面２４１と、装着部２５１における光軸方向物体側の端面２５８とに挟まれて配置されている。
装着部２５１には、端面２５８の一部が他部よりも凹んで形成された凹溝２５９が設けられている（図４参照）。この凹溝２５９は、３本の脚部２５２に対応する位置にそれぞれ設けられ、本第２実施形態においては、例えば、３箇所設けられている。鏡筒２５０を成形する際に使用する金型（図示省略）には、この凹溝２５９が形成された部分にイジェクトピン、又は、ゲートが設けられる。
【００２３】
図５に示すように、第２実施形態の鏡枠２４０は、鏡筒２５０の装着部２５１にねじ込まれ、これによって、鏡枠２４０の段差面２４１がスペーサ２６０を介して装着部２５１の端面２５８を押圧する（図５の矢印Ｆ１参照）。
ここで、仮に凹溝２５９が設けられていない鏡筒（図示省略）を想定すると、例えば、この鏡筒の装着部における光軸方向物体側の端面を平坦に形成することができず、この端面が凹凸面になった場合、装着部が鏡枠に押圧されることに起因する脚部の径方向への変形量が増大する可能性がある。
【００２４】
これに対し、第２実施形態の鏡筒２５０は、装着部２５１に凹溝２５９が設けられているので、装着部２５１の光軸方向物体側の端面２５８の一部であって、脚部２５２に対応する部分がスペーサ２６０に当接しない。
したがって、装着部２５１は、脚部２５２に対応する位置が鏡枠２４０に押圧されず、仮に凹溝２５９以外の部分において端面２５８が平胆でなくても脚部２５２に対する影響を低減できる。これによって、脚部２５２の倒れを防止できる。
【００２５】
［変形形態］
本発明は、以上説明した実施形態に限定されることなく、種々の変形や変更が可能であって、それらも本発明の技術的範囲内である。
（１）本発明の光学系保持装置の構成は、実施形態に記載したものに限らず、適宜変更が可能である。
図６は、光学系保持装置の変形形態である移動筒を示す図であり、光軸を含む断面を示す断面図である。
第１実施形態の移動筒３０は、鏡枠４０の外周面に設けられた雄ネジ部４２と、鏡筒５０の装着部５１の外周面に設けられた雌ネジ部５４とがネジ結合するものであったのに対し、変形形態の移動筒３３０は、鏡枠３４１の内周面に設けられた雌ネジ部３４２と、鏡筒３５０の装着部３５１の外周面に設けられた雄ネジ部３５４とがネジ結合している。
また、鏡筒３５０に設けられたフランジ部３５３は、鏡筒３５０の径方向の外側につば状に突き出して設けられている。スペーサ３６０は、鏡枠３４０の光軸方向像側の端面とフランジ部３５３と間に挟まれて配置されている。
この変形形態の移動筒３３０は、鏡枠３４０が鏡筒３５０に装着されると、第１実施形態と同様にフランジ部３５３が鏡枠３４０に押圧される（図６の矢印Ｆ１参照）。そして、脚部３５２は、この押圧力に起因する第１実施形態とは反対方向の回転モーメント（図５の矢印Ｍ）によって、移動筒３３０の内径側に倒れようとする。
この場合であっても、装着部３５１の外径側には、鏡枠３４０が配置されており、装着部３５１の径方向外側への変形が制限される。したがって、脚部３５２の径方向内側への変形も防止され、移動筒３３０の組立精度の低下を防止できる。
【００２６】
（２）実施形態及び上記変形形態は、鏡枠と鏡筒との間にスペーサが設けられていたが、仮にスペーサを備えず、鏡枠と鏡筒とが直接に当接する構成であっても、実施形態及び変形形態と同様の効果を得ることができる。
（３）実施形態は、鏡筒の一部が切り欠かれたように形成されることによって脚部が形成されていたが、これに限らず、鏡筒の一部が切り欠かれることによって凹溝やスリットが形成されていてもよい。この場合であって、鏡筒の変形が防止され、レンズ鏡筒の組立精度の低下を防止できる。
（４）実施形態は、鏡枠と鏡筒とがネジ結合によって接続されたが、これらを係合させる係合部の構成は、これに限らず、例えば、スナップフィット等により係合させてもよい。
【図面の簡単な説明】
【００２７】
【図１】第１実施形態のレンズ鏡筒を含むカメラシステムを示す斜視図である。
【図２】図１のレンズ鏡筒に備えられた移動筒の光軸を含む断面図である。
【図３】比較形態の移動筒における光軸を含む断面図である。
【図４】第２実施形態のレンズ鏡筒を含むカメラシステムを示す斜視図である。
【図５】図４のレンズ鏡筒に備えられた移動筒の光軸を含む断面図である。
【図６】変形形態の移動筒における光軸を含む断面図である。
【符号の説明】
【００２８】
２  レンズ鏡筒  ：  ３０  移動筒  ：  ４０  鏡枠  ：  ４１  端面  ：  ４２  雄ネジ部  ：  ５０  鏡筒  ：  ５４  雌ネジ部  ：  ５８  フランジ面  ：  ６０  スペーサ
【図１】
2008134289.tif 000003
【図２】
2008134289.tif 000004
【図３】
2008134289.tif 000005
【図４】
2008134289.tif 000006
【図５】
2008134289.tif 000007
【図６】
2008134289.tif 000008